(57)【要約】【課題】記憶媒体に記録された登録者の個人情報を子孫や近縁者により有効に活用できるようにした情報閲覧システムを提供する。【解決手段】登録者の文字情報やイメージ情報や音声情報等の個人情報が記憶されたネットワーク上に配置された管理コンピュータ１０，２０を備え、管理コンピュータ２０は、ネットワークを介してアクセスしてきたコンピュータ４０の表示部４１に検索画面２３を表示させる表示手段と、検索画面２３に入力された文字情報を情報データベース１２にて照会する照会手段と、情報データベース１２内に照会手段にて総合的に関連度が高いと判定された登録者が存在する場合に、アクセスしてきたコンピュータ４０の表示部４１に所定の報知画面２５を表示する報知手段と、を備えた。【選択図】図１
2018160005.tif 000002
【特許請求の範囲】
【請求項１】
登録者の文字情報やイメージ情報や音声情報等の個人情報が記憶された情報データベースを有するネットワーク上に配置された管理コンピュータを備え、
前記管理コンピュータは、前記ネットワークを介してアクセスしてきたコンピュータの表示部に検索画面を表示させる表示手段と、該検索画面に入力された文字情報を前記情報データベースにて照会する照会手段と、前記情報データベース内に前記照会手段にて総合的に関連度が高いと判定された登録者が存在する場合に、アクセスしてきた前記コンピュータの表示部に所定の報知画面を表示する報知手段と、を備えることを特徴とする情報閲覧システム。
【請求項２】
前記管理コンピュータは、前記情報データベース内に前記照会手段にて総合的に関連度が高いと判定された登録者が複数存在する場合、候補者を絞るための情報の入力を促す絞込手段を備えていることを特徴とする請求項１に記載の情報閲覧システム。
【請求項３】
前記情報データベースに記憶された登録者の個人情報のうち特定の情報に対して、前記照会手段にて参照されない設定を行うことができることを特徴とする請求項１または２に記載の情報閲覧システム。
【請求項４】
前記管理コンピュータは、登録者を特定する固有のＩＤの管理を行うＩＤデータベースと、前記情報データベースに記憶された前記個人情報と前記ＩＤデータベースに記憶された前記ＩＤとを対応付けて記憶する対応テーブルと、を備え、端末装置から受け付けたＩＤに対応する前記個人情報を前記情報データベースから読み出し、前記端末装置の表示部に表示させることを特徴とする請求項１ないし３のいずれかに記載の情報閲覧システム。
【請求項５】
前記対応テーブルは、前記登録者の個人情報に当該登録者とは別の関連ＩＤも加えて対応付けて記憶することができることを特徴とする請求項１ないし４のいずれかに記載の情報閲覧システム。
【請求項６】
前記管理コンピュータは、前記対応テーブルにて関連付けて記憶される前記関連ＩＤに対して、前記個人情報内で閲覧できる情報をそれぞれ設定することができる閲覧制限登録手段を備えていることを特徴とする請求項５に記載の情報閲覧システム。
【請求項７】
前記情報データベースに記憶された登録者の個人情報を構成する各情報には開示期限が設定されていることを特徴とする請求項１ないし６のいずれかに記載の情報閲覧システム。
【請求項８】
前記管理コンピュータは、前記検索画面をインターネット上に公開していることを特徴とする請求項１ないし７のいずれかに記載の情報閲覧システム。
【発明の詳細な説明】
【技術分野】
【０００１】
本発明は、特定の人物の家系データや病歴等に関する文字情報やイメージ情報や音声情報等の特定の人物に関する情報を閲覧する情報閲覧システムに関する。
【背景技術】
【０００２】
従来、家系等の特定の人物に関する個人情報等は、菩提寺や霊園等において紙媒体等により記録・保管されているが、個人情報を人が管理することから人的要因によるセキュリティの低さに加え、紙媒体を用いていることから保管できる情報量にも限度があった。
【０００３】
そこで、例えば特許文献１のように、登録者の個人情報をサービス提供会社等が管理するデジタルの記憶媒体に記憶させ、予め閲覧権限が設定された固有のＩＤを用いて当該個人情報の閲覧を可能とした情報閲覧システムがある。これによれば、デジタルの記憶媒体に記憶させることで、登録者に関する多くの情報を記憶することができるとともに、固有のＩＤを用いることでセキュリティが高くなっている。また、この情報閲覧システムは、固有のＩＤに応じて個人情報へのアクセスの可否やアクセスが可能となる開示期日等を設定することで、情報の種類によっては一定期間開示させないといった処理を行うことができる。
【先行技術文献】
【特許文献】
【０００４】
【特許文献１】特許第３３５９２４３号公報（第３頁、第１図）
【発明の概要】
【発明が解決しようとする課題】
【０００５】
特許文献１のような情報閲覧システムは、記憶媒体に記録された個人情報は、登録者の子孫や近縁者により有効に活用されることを目的としたシステムであるが、近年は核家族化等に代表されるように、世代の離れた親戚との関係が希薄になっている場合が多く、登録者の個人情報がサービス提供会社の管理する記憶媒体に記録されていること自体が、特定の人物と世代の離れた子孫に伝達されない虞があり、如何に多くの個人情報を記録することができたとしても、子孫がその情報を有効に利用することができないという問題があった。
【０００６】
本発明は、このような問題点に着目してなされたもので、記憶媒体に記録された登録者の個人情報を子孫や近縁者により有効に活用できるようにした情報閲覧システムを提供することを目的とする。
【課題を解決するための手段】
【０００７】
前記課題を解決するために、本発明の情報閲覧システムは、
登録者の文字情報やイメージ情報や音声情報等の個人情報が記憶された情報データベースを有するネットワーク上に配置された管理コンピュータを備え、
前記管理コンピュータは、前記ネットワークを介してアクセスしてきたコンピュータの表示部に検索画面を表示させる表示手段と、該検索画面に入力された文字情報を前記情報データベースにて照会する照会手段と、前記情報データベース内に前記照会手段にて総合的に関連度が高いと判定された登録者が存在する場合に、アクセスしてきた前記コンピュータの表示部に所定の報知画面を表示する報知手段と、を備えることを特徴としている。
この特徴によれば、ネットワークを介してアクセスし検索画面に文字情報を入力した人物としては、当該文字情報から総合的に関連度が高いと判定された登録者が存在する場合に表示される報知画面により、当該人物の近縁者が情報閲覧システムを運営するサービス提供会社に個人情報を登録していることを知ることができ、当該人物が希望すれば、その近縁者の個人情報を有効に活用することができる。
【０００８】
前記管理コンピュータは、前記情報データベース内に前記照会手段にて総合的に関連度が高いと判定された登録者が複数存在する場合、候補者を絞るための情報の入力を促す絞込手段を備えていることを特徴としている。
この特徴によれば、多くの情報から候補者を絞ることができ、文字情報を入力した人物と関連度の高い登録者を高い精度で特定することができる。
【０００９】
前記情報データベースに記憶された登録者の個人情報のうち特定の情報に対して、前記照会手段にて参照されない設定を行うことができることを特徴としている。
この特徴によれば、秘匿性の高い個人情報の漏洩を防止することができる。
【００１０】
前記管理コンピュータは、登録者を特定する固有のＩＤの管理を行うＩＤデータベースと、前記情報データベースに記憶された前記個人情報と前記ＩＤデータベースに記憶された前記ＩＤとを対応付けて記憶する対応テーブルと、を備え、端末装置から受け付けたＩＤに対応する前記個人情報を前記情報データベースから読み出し、前記端末装置の表示部に表示させることを特徴としている。
この特徴によれば、登録者の個人情報の閲覧には固有のＩＤを必要とするため、セキュリティが高い。
【００１１】
前記対応テーブルは、前記登録者の個人情報に当該登録者とは別の関連ＩＤも加えて対応付けて記憶することができることを特徴としている。
この特徴によれば、個人情報に対して近縁者のＩＤを登録者の関連ＩＤとして対応付けておくことで、近縁者が登録者の個人情報を閲覧することができる。
【００１２】
前記管理コンピュータは、前記対応テーブルにて関連付けて記憶される前記関連ＩＤに対して、前記個人情報内で閲覧できる情報をそれぞれ設定することができる閲覧制限登録手段を備えていることを特徴としている。
この特徴によれば、例えば近縁者との関係性に応じて閲覧制限を設けることができる。
【００１３】
前記情報データベースに記憶された登録者の個人情報を構成する各情報には開示期限が設定されていることを特徴としている。
この特徴によれば、開示期限を迎えた情報を登録者の近縁者に広く利用させることができる。
【００１４】
前記管理コンピュータは、前記検索画面をインターネット上に公開していることを特徴としている。
この特徴によれば、インターネット上に公開された検索画面を用いて、不特定多数の人物が近縁者の個人情報の記憶の有無を確認でき、当該個人情報を有効に活用することができる。
【図面の簡単な説明】
【００１５】
【図１】実施例における情報閲覧システムを示すイメージ図である。
【図２】閲覧システムを示すイメージ図である。
【図３】個人情報の入力手順を示すフローチャートである。
【図４】各入力画面を示す図である。
【図５】報知システムを示すイメージ図である。
【図６】判定処理を示すフローチャートである。
【図７】検索画面を示す図である。
【図８】絞込処理を示すフローチャートである。
【図９】動的な確認画面を示す図である。
【図１０】報知画面を示す図である。
【図１１】情報出力第１モードのフローチャートである。
【図１２】ＩＤカードごとに設定された閲覧制限を示すイメージ図である。
【図１３】情報出力第２モードのフローチャートである。
【図１４】情報ごとに設定された開示期限を示すイメージ図である。
【図１５】情報出力第３モードのフローチャートである。
【図１６】閲覧制限と開示期限との関係を示すイメージ図である。
【発明を実施するための形態】
【００１６】
本発明に係る情報閲覧システムを実施するための形態を実施例に基づいて以下に説明する。
【実施例】
【００１７】
実施例に係る情報閲覧システムにつき、図１から図１６を参照して説明する。
【００１８】
本実施例における情報閲覧システムは、登録者の個人情報をサービス提供会社等が管理するデジタルの記憶媒体に記憶させておき、例えば登録者の死後に、登録者の近縁者が閲覧権限の設定された固有のＩＤを用いて当該登録者の個人情報の閲覧を可能としたシステムである。また、本情報閲覧システムは、登録者の個人情報がサービス提供会社の管理する記憶媒体に記録されていることを、近親者に対して報知することができる機能を更に備えている。尚、本情報閲覧システムは、登録者の肖像等のイメージ情報も閲覧することができ、墓参としての機能も併せ持っている。
【００１９】
図１に示されるように、情報閲覧システム１は、登録者の個人情報を保有するとともに、固有のＩＤを用いて当該登録者の個人情報の閲覧を可能とするサービスを提供する閲覧システム２と、登録者の個人情報がサービス提供会社の管理する記憶媒体に記録されていることを、近親者に対して報知するサービスを提供する報知システム３とに大別される。
【００２０】
まず、閲覧システム２について図２から図４を用いて説明する。図２に示されるように、閲覧システム２は、登録者の個人情報を管理する管理コンピュータである管理サーバ１０と、管理サーバ１０に複数台接続されるコンピュータ等の端末装置１１，１１，…と、を備えている。
【００２１】
管理サーバ１０には、登録者の個人情報が記憶される情報データベース１２と、登録者毎に割り振られて登録者を特定する固有のＩＤが記憶されたＩＤデータベース１３と、これら情報データベース１２に記憶された個人情報とＩＤデータベース１３に記憶されたＩＤとを対応付ける対応テーブル１４とを備えている。
【００２２】
端末装置１１は、管理サーバ１０に対してイントラネット等のアクセス制限が設けられたネットワークにて接続される演算装置１５と、文字情報を入力する入力手段であるキーボード１６と、表示部であるディスプレイ１７と、後述するＩＤカード１９から情報を読み取ることができるカードリーダ１８とを備えている。更に、ここでは図示しないが、演算装置１５には入力手段であるイメージ情報を入力するカメラ、音声情報を入力するビデオ入力装置が接続されている。これらの入力手段を用いることで、登録者の名前や出身地や趣味や家族の名前等の文字情報や、個人の肖像，墓石，墓地の全景等に関するイメージ情報や、個人の肉声，お経等に関する音声情報を個人情報として情報データベース１２へ記憶させることができるようになっている。
【００２３】
ＩＤカード１９は、磁気カードやＩＣチップ内蔵のカード等であり、ＩＤカード１９内に登録者の固有のＩＤが記憶されている。カードリーダ１８は、ＩＤカード１９からＩＤを読み取り、読み取ったＩＤを演算装置１５に送信するようになっている。演算装置１５に送信されたＩＤは、ネットワークを介して管理サーバ１０に送信される。ここでいうネットワークとは、インターネットに接続されない所謂ローカルエリアネットワークである。
【００２４】
管理サーバ１０では、端末装置１１から受け付けたＩＤを情報データベース１２にて照会し、ＩＤに対応する個人情報が情報データベース１２内に記憶されている場合、当該個人情報を読み出し（読み出し手段）、端末装置１１のディスプレイ１７に表示させる。
【００２５】
このとき管理サーバ１０は、先ず読み出し手段にて読み出された文字情報、イメージ情報或いは音声情報の内、どの情報をディスプレイ１７に表示するかを選択させる選択画面をディスプレイ１７に表示させるようになっている。選択画面では各情報を単独に、あるいは複合的に（例えば、文字情報とイメージ情報を合わせて）表示させる選択を行うことができるようになっている。
【００２６】
次に、個人情報の入力手順について図３及び図４に基づいて説明する。文字情報やイメージ情報や音声情報を入力するには、まず端末装置１１を情報入力モードに切り換え、図３のフローチャートに従って処理を行う。
【００２７】
まず、ＩＤカード１９をカードリーダ１８で読み取らせる（ステップＳ１００）。これにより管理サーバ１０にＩＤが送信され、管理サーバ１０は端末装置１１から受け付けたＩＤを情報データベース１２にて照会し、ＩＤに対応する個人情報が情報データベース１２内に記憶されている場合、当該個人情報を編集する編集モードとして待機する。同じくして端末装置１１は入力手段からの入力を受け付ける状態となるとともに、ステップＳ１０１で文字情報、イメージ情報或いは音声情報のうちどの情報を入力するかを選択する選択画面をディスプレイ１７に表示させる。
【００２８】
文字情報を入力することが選択された場合、各種入力画面がディスプレイ１７に表示される（ステップＳ１０２）。
【００２９】
図４（ａ）に示す入力画面は、家系図入力画面３０であり、各入力フォーム３０ａ，３０ａ，…には、登録者本人の親族の名前を入力することができる。
図４（ｂ）に示す入力画面は、個人データを記録する個人データ入力画面３１であり、登録者の名前・出身地・趣味等をそれぞれ入力することができる入力フォーム３１ａ，３１ａ，…を備えている。
図４（ｃ）に示す入力画面は、登録者本人の病歴を記録する各入力フォーム３２ａ，３２ａ，…を備えた病歴データ入力画面３２である。
図４（ｄ）に入力画面は、登録者本人から近親者に伝えたいその他メッセージを入力する入力フォーム３３ａ，３３ａ，…を備えたメッセージ入力画面３３である。例えばこの入力フォーム３３ａには、登録者が保有している銀行口座の情報や印鑑の場所等を入力することができる。
【００３０】
ステップＳ１０３では、これら家系図入力画面３０，個人データ入力画面３１，病歴データ入力画面３２，メッセージ入力画面３３に入力された文字情報の重要度のランク付けの選択を行うランク付け画面がディスプレイ１７に表示される。
【００３１】
そして、ステップＳ１０３のランク付けの選択が完了すると、各種入力画面に入力した情報を情報データベース１２に記憶する記憶処理を行うか否かを選択する画面がディスプレイ１７に表示され、記憶処理が選択されると、各種入力画面の入力フォームに入力された文字情報が端末装置１１から管理サーバ１０に送信され、情報データベース１２に記憶される（ステップＳ１０８）。
【００３２】
ステップＳ１０８の完了後には、更に入力する情報の有無を選択する画面が表示され（ステップＳ１０９）、更に入力する情報がある場合には、ステップＳ１０１に戻ることができるようになっており、個人の肖像、墓石、墓地の全景等に関するイメージ情報の入力がある時には、ステップＳ１０４に進み、個人の肉声、お経等に関する音声情報の入力がある時には、ステップＳ１０６に進み、文字情報の入力の際と同様に、その情報の重要度または開示期限によってランク付けの選択（ステップＳ１０５，Ｓ１０７）を行った後、ステップＳ１０８で記憶処理を行う。
【００３３】
ランク付けについて本実施例では、入力された個人情報のうち、家系図入力画面３０に入力された情報を情報Ｉとし、個人データ入力画面３１に入力された情報を情報ＩＩとし、病歴データ入力画面３２に入力された情報を情報ＩＩＩとする。そして、情報の重要度は情報Ｉ、情報ＩＩ、情報ＩＩＩにいくに従って高いものとする。
【００３４】
次に、報知システム３について、図５から図１０を用いて説明する。報知システム３は、登録者の個人情報がサービス提供会社の管理する情報データベース１２に記録されており、特定のＩＤを有する人物が登録者の個人情報を閲覧できることを、当該登録者の近縁者であると判断できる人物に対して報知するものであり、サービス提供会社が管理運営するインターネット上に公開される検索サイトにアクセスした人物の入力した文字情報から、この人物が登録者の近縁者であることを判定できる機能（判定手段）を備えている。
【００３５】
図５に示されるように、報知システム３は、インターネット上に配置され、インターネットを介してコンピュータ４０と接続される管理コンピュータであるサーバ２０と、閲覧システム２の情報データベース１２とから主に構成されている。
【００３６】
サーバ２０は、インターネット上に公開される検索サイトを構成するファイルを有するファイル保存部２１と、インターネットにて接続されたコンピュータ４０から検索サイトを介して入手した文字情報を情報データベース１２にて照会し、検索サイトに所定の報知画面を表示させる機能（報知手段）等を有する情報処理部２２とを備えている。
【００３７】
次に、判定手段の動作手順について説明する。判定手段は情報処理部２２による判定処理であり、その動作は図６のフローチャートに従って行われる。
【００３８】
インターネット上に公開される検索サイトにアクセスしたコンピュータ４０のディスプレイ４１には、ファイル保存部２１に保存されたファイルから構成された検索画面２３が表示される（ステップＳ２００，表示手段）。図７に示されるように、検索画面２３には検索を行う文字情報が分類されるカテゴリーを選択するプルダウン式の選択ボタン２３ａ，２３ａ，…と、選択したカテゴリーに合致する文字情報を入力する入力フォーム２３ｂ，２３ｂ，…と、を備え、更に複数の入力フォームに文字情報を入力して検索を行う際に文字情報同士の検索条件を選択できるプルダウン式の条件選択ボタン２３ｃ，２３ｃ，…と、を備えている。
【００３９】
選択ボタン２３ａ，２３ａ，…に表示されるカテゴリーは、前述の個人データ入力画面３１におけるカテゴリー（登録者の名前・出身地・趣味等）と対応している。
【００４０】
条件選択ボタン２３ｃ，２３ｃ，…は、入力した複数の文字情報が合致する候補を絞り込むことを設定できるＡＮＤボタンと、入力した複数の文字情報の中のいずれかが合致する候補を紹介することを設定できるＯＲボタンとを選択できるようになっている。
【００４１】
検索ボタン２３ｄが選択されると、検索画面２３にて入力された文字情報等は情報処理部２２に一時的に記憶され（ステップＳ２０１）、情報処理部２２は当該文字情報を情報データベース１２にて照会する（ステップＳ２０２，照会手段）。
【００４２】
ステップＳ２０２では、情報処理部２２は情報データベース１２に記憶された個人情報のうち、検索画面２３にて入力された文字情報との適合率が予め設定された適合率の合格点（例えば６０点）以上の個人情報を有する登録者を検索する。そして、続くステップＳ２０３にて、候補となる登録者が１人である場合にはステップＳ２０４へ、候補となる登録者が複数人である場合にはステップＳ２０５へ、候補となる登録者が見つけられない場合にはステップＳ２０６へ、それぞれ処理が以降される。
【００４３】
ステップＳ２０４では、候補となる登録者との関連性をより確実にするために、確認画面をディスプレイ４１に表示させる。ここでは図示しないが、確認画面には前述の検索画面２３にて入力された文字情報以外の情報を更に入力させる入力フォームを備えている。例えば登録者の「名前」と「出身地」が既に検索に用いられていた場合、残りの「趣味」を入力フォームにて問うような画面を表示させる。
【００４４】
確認画面にて入力された文字情報に基づき、近縁者判定が行われ（ステップＳ２０７）、予め設定された適合率の最終合格点以上となった場合、アクセスしてきたコンピュータ４０の利用者が候補となる登録者の近縁者であると判定し、ディスプレイ４１に報知画面２５（図１０参照）を表示させる（ステップＳ２０８，報知手段）。
【００４５】
尚、ステップＳ２０８の近縁者判定で、入力された文字情報から最終合格点（例えば８０点）以上とならなかった場合には、アクセスしてきたコンピュータ４０の利用者が候補となる登録者の近縁者ではないと判定し、ディスプレイ４１に候補なしの画面を表示させる（ステップＳ２０９）。また、ステップＳ２０３にて候補となる個人情報が見つけられない場合にも、ディスプレイ４１に同様の候補なしの画面を表示させる（ステップＳ２０６）。
【００４６】
また、ステップＳ２０３にて候補となる登録者が複数人であった場合には、図８に示される絞込処理に移行される。絞込処理では、候補となる複数人の登録者を候補者リストとして一時的に記憶（ステップＳ３００）し、候補となる登録者を１人に絞るために、図９に示すような、絞込用の確認画面２４をディスプレイ４１に表示させる（ステップＳ３０１）。
【００４７】
絞込用の確認画面２４は、前述の検索画面２３にて入力された文字情報以外の情報を更に入力させる入力フォーム２４ａを備えている。例えば登録者の「名前」と「出身地」が既に検索に用いられていた場合、残りの「生年月日」を入力フォーム２４ａにて問うようになっている。アクセスしてきたコンピュータ４０の利用者は、入力フォーム２４ａへの入力が完了すると、次へボタン２４ｂを選択する。
【００４８】
情報処理部２２は入力フォーム２４ａに入力された文字情報に基づき候補者リストを更新し、候補者が１人に絞れたか否かを判定（ステップＳ３０２）し、候補者が１人に絞れない場合には、ステップＳ３０１に戻り、更に別の情報を入力させる入力フォーム２４ａを備えた動的な確認画面２４を表示させる。そして、最終的に候補者が１人に絞れた段階で絞込処理を終了し、判定処理のステップＳ２０４に移行し、確認画面を表示する。
【００４９】
図１０に示されるように、報知画面２５では、登録者の近縁者であることを問いかけるメッセージと、連絡先の情報を表示するようになっている。このように、インターネットにて辿り着いた検索サイトにアクセスした人物（以下、アクセス者と称する）としては、当該アクセス者の近縁者がサービス提供会社に個人情報を登録している登録者であることを知ることができ、アクセス者が希望すれば、報知画面２５に表示された連絡先に問い合わせることにより、登録者である近縁者の個人情報を有効に活用することができる。
【００５０】
特に、登録者である近縁者の病歴等の情報は、血縁関係がある場合には、予防医学の観点からも有用である。また、登録者が突然死去した場合などにも、近縁者に対して銀行口座や印鑑などの情報を知らせることができる。
【００５１】
情報閲覧システム１を運営するサービス提供会社としては、アクセス者が登録者の近縁者であることを本人確認書類等により確認できた場合、このアクセス者に対してＩＤカード１９を発行し、このＩＤカード１９に記憶されたＩＤを登録者のＩＤの関連ＩＤとして対応テーブル１４（図２参照）にて対応付けることで、近縁者であるアクセス者がＩＤカード１９を利用することで登録者の個人情報を閲覧できるように設定することができる。
【００５２】
また、前述の各入力画面にて入力された文字情報には、特定の情報に対して、秘匿性の度合いに応じて、判定手段の処理にて参照されない設定をそれぞれ行うことができる。これによれば、例えば閲覧システム２の情報データベース１２をインターネットから隔絶しておき、報知システム３のサーバ２０には、情報データベース１２の個人情報の内、判定処理にて参照できる文字情報のみを保存するデータベースを備えておくことで、インターネットに接続された報知システム３がインターネットを通じて攻撃を受けた場合であっても、情報データベース１２に記憶された個人情報のセキュリティを高い状態に維持することができる。
【００５３】
続いて、閲覧システム２における個人情報の読み出し手順について説明する。端末装置１１で情報出力第１モードを選択すると、図１１のフローチャートに従って、情報データベース１２に記憶されている文字情報やイメージ情報や音声情報が一定条件下で読み出される。閲覧システム２は、各ＩＤカードに記憶されたＩＤに応じて、閲覧できる個人情報を制限することができる機能を備えており（閲覧制限登録手段）、以下にその具体的な構成ついて説明する。
【００５４】
ステップＳ４００でＩＤカード１９をカードリーダ１８で読み取って、ステップＳ４０１でそのＩＤカード１９に記憶されたＩＤが特定のものであるかを判別する。本実施の形態では、図１２に示すように、ＩＤカードがＡ、Ｂ、Ｃであるかを判別（特定信号判別手段）し、「ＹＥＳ」の場合にはステップＳ４０２に進み、「ＮＯ」の場合にはステップＳ４０８に進む。そして、ステップＳ４０８では、ステップＳ４０１での特定のＩＤカードの判別において、「ＮＯ」の回数が２回以下の場合にはステップＳ４００に戻り再度実行を行うが、「ＮＯ」の回数が３回を越えると、本モードの操作は終了する。
【００５５】
ステップＳ４０２では、ステップＳ４０１で判別された特定のＩＤカードに対応する特定の文字情報やイメージ情報や音声情報を管理サーバ１０内の第１特定情報読み出し手段によって情報データベース１２から読み出す。より詳しくは、図１２に示すように、ＩＤカードＡに対しては情報Ｉ、ＩＤカードＢに対しては情報Ｉ及びＩＩ、ＩＤカードＣに対しては情報Ｉ〜ＩＩＩが読み出し可能にされている。なお文字情報やイメージ情報や音声情報には、例えば、文字情報Ｉ、イメージ情報Ｉ等、それぞれ情報ごとにランク付けがなされている。
【００５６】
ステップＳ４０３では、ステップ４０２で特定された文字情報、イメージ情報或いは音声情報を選択し、ステップＳ４０４では文字情報を、ステップＳ４０５ではイメージ情報を、ステップＳ４０６では音声情報をそれぞれ出力し、ステップＳ４０７では各情報を単独に、あるいは複合的にディスプレイ１７に表示する。
【００５７】
このように本モードでは、図１２に示すように、特定の人（特定の関連ＩＤとして記憶されたＩＤカード）に対応した個人データ、家系データ、個人の肖像、墓石、墓地の全景、個人の肉声、お経等墓参に関する多大で、多種多用な前記各情報（情報Ｉ〜ＩＩＩ）の読み出しが可能になるので、前記各情報の重要度が保たれる。また、例えば近縁者との関係性に応じて閲覧制限を設けることができる。
【００５８】
そして、ディスプレイ１７にはイメージ情報として墓石、墓地の全景が表示可能であって、音声情報としてのお経も出力できるので、墓参りに対する多大な労力も軽減することができる。さらに、ディスプレイ１７は家庭内に配置することができるので、墓参りに対する労力も一層軽減できる。なお、墓石には花を入れ替えたり、水を替えたり、ローソク・線香を灯す等の操作を画面上で操作可能にするようにしても良い。
【００５９】
端末装置１１で情報出力第２モードを選択すると、図１３のフローチャートに従って、情報データベース１２に記憶されている文字情報やイメージ情報や音声情報が一定条件下で読み出される。
【００６０】
すなわち、ステップＳ５００でＩＤカード１９をカードリーダ１８で読み取って、ステップＳ５０１で各情報が開示期限を過ぎているかを判別する（情報開示期限判別手段）。本実施の形態では、図１４に示すように、情報Ｉの開示期限を西暦２０２０年、情報ＩＩの開示期限を西暦２０３０年、情報ＩＩＩの開示期限を西暦２０４０年に設定し、ステップＳ５０１で現時点が各情報の開示期限を過ぎている場合にはステップＳ５０２に進み、過ぎていない場合には本モードは終了する。
【００６１】
ステップＳ５０２では、ステップＳ５０１で判別された開示期限に対応する特定の文字情報やイメージ情報や音声情報を管理サーバ１０内内の第２特定情報読み出し手段によって情報データベース１２から読み出す。より詳しくは、前記した如く、図１４に示すように、西暦２０２０年に情報Ｉを、西暦２０３０年に情報ＩＩを、西暦２０４０年に情報ＩＩＩをそれぞれ開示可能として、情報Ｉ〜ＩＩＩが読み出し可能にされている。なお、前述同様、文字情報やイメージ情報や音声情報には、それぞれ情報ごとにランク付けがなされている。
【００６２】
このように本モードでは、図１４に示すように、個人データ、家系データ、個人の肖像、墓石、墓地の全景、個人の肉声、お経等墓参に関する多大で、多種多用な各情報（情報Ｉ〜ＩＩＩ）の開示期限が特定されるので、前記各情報の秘密度が保たれる。
【００６３】
端末装置１１で情報出力第２モードを選択すると、図１５のフローチャートに従って、情報データベース１２に記憶されている文字情報やイメージ情報や音声情報が一定条件下で読み出される。本モードは前述の情報出力第１モードと情報出力第２モードを組み合わせたものである。
【００６４】
すなわち、ステップＳ６００でＩＤカード１９をカードリーダ１８で読み取って、ステップＳ６０１でそのＩＤカード１９が特定のものであるかを判別する。本実施の形態では、図１６に示すように、ＩＤカードがＡ、Ｂ、Ｃであるかを判別し、「ＹＥＳ」の場合にはステップＳ６０２に進み、「ＮＯ」の場合にはステップＳ６０９に進む。そして、ステップＳ６０９では、ステップＳ６０１での特定のＩＤカードの判別において、「ＮＯ」の回数が２回以下の場合にはステップＳ６００に戻り再度実行を行うが、「ＮＯ」の回数が３回を越えると、本モードの操作は終了する。
【００６５】
ステップＳ６０２では前記各情報が開示期限を過ぎているかを判別する。本実施の形態では、図１６に示すように、ＩＤカードＣの場合には情報Ｉの開示期限を西暦２０２０年、情報ＩＩの開示期限を西暦２０３０年、情報ＩＩＩの開示期限を西暦２０４０年に設定し、ＩＤカードＢの場合には情報Ｉの開示期限を西暦２０３０年、情報ＩＩの開示期限を西暦２０４０年、情報ＩＩＩの開示期限を西暦２０５０年に設定し、ＩＤカードＡの場合には情報Ｉの開示期限を西暦２０４０年、情報ＩＩの開示期限を西暦２０５０年、情報ＩＩＩの開示期限を西暦２０６０年に設定している。そして、ステップＳ６０２で現時点が前記各情報の開示期限を過ぎている場合にはステップＳ６０２に進み、過ぎていない場合には本モードは終了する。
【００６６】
ステップＳ６０３では、ステップＳ６０１で判別された特定ＩＤカードに対応し、かつ、ステップ６０２で判別される開示期限に対応する特定の文字情報イメージ情報や音声情報を管理サーバ１０内の第１特定情報読み出し手段及び第２特定情報読み出し手段によって情報データベース１２から読み出す。より詳しくは、図１６に示すように、西暦２０２０年にあっては、ＩＤカードＣでは情報Ｉが読み出されるが、ＩＤカードＢ及びＡではいかなる情報も読み出すことはできない。また、西暦２０４０年にあっては、ＩＤカードＣでは情報Ｉ〜ＩＩＩが読み出されるが、ＩＤカードＢでは情報Ｉ及びＩＩが読み出され、ＩＤカードＡでは情報Ｉのみが読み出される。なお、前述同様、文字情報やイメージ情報や音声情報には、それぞれ情報ごとにランク付けがなされている。
【００６７】
このように本モードでは、図１６に示すように、特定の人（特定の関連ＩＤとして記憶されたＩＤカード）に対応し、かつ、開示期限が特定される個人データ、家系データ、個人の肖像、墓石、墓地の全景、個人の肉声、お経等墓参に関する多大で、多種多用な前記各情報（情報Ｉ〜ＩＩＩ）の読み出しが可能になるので、前記各情報の重要度及び秘密度が保たれる。また、開示期限を迎えた情報を情報の重要度に関わらず登録者の近縁者に広く利用させることができる。
【００６８】
また、端末装置１１にプリンタを接続し、文字情報や本情報閲覧システム１を使用した際の個人の課金情報等を出力できるようにしてもよい。
【００６９】
尚、管理サーバ１０は、複数の端末装置１１が接続される所謂サーバでなくともよく、情報データベース１２とＩＤデータベース１３と対応テーブル１４を備えた中央制御装置を有する１台のコンピュータであってよい。
【００７０】
以上、本発明の実施形態を図面によって説明してきたが、具体的な構成はこれら実施形態に限られるものではなく、本発明の要旨を逸脱しない範囲における変更や追加等があっても本発明に含まれる。
【００７１】
例えば、上記実施の形態では、情報データベース１２に記憶される文字情報としては個人データ、家系データ、イメージ情報としては個人の肖像、墓石、墓地の全景、音声情報としては個人の肉声、お経を例にしているが、この他にも、文字情報としては家訓、遺言、日記等、イメージ情報としてはアルバム、写真等、音声情報としては音声としての遺言等墓参に関する情報はすべて含まれる。
【００７２】
また、上記実施例において、報知システム３における判定処理では、検索画面２３の選択ボタン２３ａ，２３ａ，…に表示されるカテゴリーは、前述の個人データ入力画面３１におけるカテゴリー（登録者の名前・出身地・趣味等）と対応しており、この文字情報を元に情報データベース１２にて照会を行う態様で説明したが、これに限らず、例えば家系図入力画面３０に入力された家系データに基づき関連度の高い登録者の検索を行うようにしてもよい。この場合、例えば検索画面には、叔父の名前や母の名前等を選択する選択ボタンと、それに対応する入力フォームが表示され、情報処理部２２では、入力された名前を元に適合率の高い家系データを探し出し、この家系データ内に位置する登録者で判定を行う。
【００７３】
また、上記実施例において閲覧システム２を構成する管理サーバ２０と報知システム３を構成するサーバ２０とは別々に構成されているが、管理サーバ２０が報知システム３のサーバ２０の機能を併せ持つことで、サーバ２０を省略してもよい。
【００７４】
また、報知システム３を構成するサーバ２０はインターネットに接続されていなくてもよく、例えばサービス提供会社が運営する店舗等に設置したコンピュータに判定処理にて照会される文字情報を記憶しておき、店舗ごとで検索を行えるような態様としてもよい。
【００７５】
また、サービス提供会社が管理する情報データベース内に登録者の個人情報が記憶されていることが放置できれば、報知画面は上記実施例のような構成に限らない。
【符号の説明】
【００７６】
１                情報閲覧システム
２                閲覧システム
３                報知システム
１０              管理サーバ（管理コンピュータ）
１１              端末装置
１２              情報データベース
１３              ＩＤデータベース
１４              対応テーブル
１５              演算装置
１７              ディスプレイ（表示部）
１８              カードリーダ
１９              カード
２０              サーバ（管理コンピュータ）
２１              ファイル保存部
２２              情報処理部
２３              検索画面
２４              動的な確認画面
２５              報知画面
３０              家系図入力画面
３１              個人データ入力画面
３２              病歴データ入力画面
３３              メッセージ入力画面
４０              コンピュータ
４１              ディスプレイ（表示部）
【図１】
2018160005.tif 000003
【図２】
2018160005.tif 000004
【図３】
2018160005.tif 000005
【図４】
2018160005.tif 000006
【図５】
2018160005.tif 000007
【図６】
2018160005.tif 000008
【図７】
2018160005.tif 000009
【図８】
2018160005.tif 000010
【図９】
2018160005.tif 000011
【図１０】
2018160005.tif 000012
【図１１】
2018160005.tif 000013
【図１２】
2018160005.tif 000014
【図１３】
2018160005.tif 000015
【図１４】
2018160005.tif 000016
【図１５】
2018160005.tif 000017
【図１６】
2018160005.tif 000018